(57)【特許請求の範囲】
【請求項１】
コンクリート部材に埋設され、前記コンクリート部材の表面から突出する荷重伝達部材と、
前記荷重伝達部材の突出部を取り囲む中空の鋼製部材と、
前記鋼製部材の中空部に充填され、前記突出部と前記鋼製部材とを一体化する充填材と、
を備え、
前記突出部を含む前記荷重伝達部材は、
板厚方向が水平又は略水平方向に配置された板部材と、
前記板部材の板面に設けられたスタッドと、
で構成されたシアプレートである、
鋼製部材の接合構造。
【請求項２】
前記鋼製部材の前記中空部の開口部には、前記荷重伝達部材が貫通する孔が形成された底板が接合されている、
請求項１に記載の鋼製部材の接合構造。
【請求項３】
前記コンクリート部材に埋設されたアンカーボルトに前記底板が締結されている、
請求項２に記載の鋼製部材の接合構造。
【請求項４】
前記荷重伝達部材は、二枚の前記シアプレートが平面視で十字状に交差して配置されている、
請求項１〜請求項３のいずれか１項に記載の鋼製部材の接合構造。
【請求項５】
前記鋼製部材には、ブレース部材の端部又は鉄骨架台の端部が接合されている、
請求項１〜請求項４のいずれか１項に記載の鋼製部材の接合構造。
【発明の詳細な説明】
【技術分野】
【０００１】
本発明は、鋼製部材の接合構造に関する。
【背景技術】
【０００２】
特許文献１の従来技術には、鉄骨からなる鉄骨柱脚の下端面にベースプレートが固設され、ベースプレートの下面には、鉄筋コンクリートから成る柱脚基礎に対する鉄骨柱脚のせん断力を強化するために、シアプレートと呼称される十字形の鋼板が溶接された鉄骨柱脚の取付構造が開示されている。
【０００３】
特許文献２には、薄板軽量形鋼造の耐力壁と基礎との接合構造において、複数のアンカーボルト挿通孔を有するベースプレートの下側に下向きに突出する水平力抵抗板が設けられていると共に、この水平抵抗板がコンクリート基礎に埋め込まれている接合構造が開示されている。
【先行技術文献】
【特許文献】
【０００４】
【特許文献１】特開２００１−２８８８１５号公報
【特許文献２】特開２００８−２８０７８７号公報
【発明の概要】
【０００５】
鉄骨柱等の鋼製部材に設けたせん断力を伝達するためのシアプレートや水平力抵抗板を、コンクリート基礎等のコンクリート部材に埋設させる場合、コンクリート基礎等のコンクリート部材を打設して固化するまで鋼製部材を高精度に固定しておく必要がある。よって、施工性の向上に関して改善の余地がある。
【発明が解決しようとする課題】
【０００６】
本発明は、上記事実に鑑み、施工性を向上しつつ、鋼製部材に作用するせん断力をコンクリート部材に伝達することができる鋼製部材の接合構造を提供することが目的である。
【課題を解決するための手段】
【０００７】
第一態様の鋼製部材の接合構造は、コンクリート部材に埋設され、前記コンクリート部材の表面から突出する荷重伝達部材と、前記荷重伝達部材の突出部を取り囲む中空の鋼製部材と、前記鋼製部材の中空部に充填され、前記荷重伝達部材と前記鋼製部材とを一体化する充填材と、を備えている。
【０００８】
第一態様の鋼製部材の接合構造では、コンクリート部材に埋設されると共にコンクリート部材の表面から突出する荷重伝達部材が、鋼製部材の中空部に取り囲まれ、中空部に充填された充填材で、鋼製部材と荷重伝達部材とが一体化されている。よって、鋼製部材に作用するせん断力が、荷重伝達部材によってコンクリート部材に伝達される。
【０００９】
また、コンクリート部材に埋設され突出する荷重伝達部材を中空の鋼製部材で取り囲み、鋼製部材に充填材を充填することで、鋼製部材と荷重伝達部材とが一体化されるので、施工が容易である。
【００１０】
第二態様の鋼製部材の接合構造は、前記鋼製部材の前記中空部の開口部には、前記荷重伝達部材が貫通する孔が形成された底板が接合されている。
【００１１】
第二態様の鋼製部材の接合構造では、鋼製部材に作用する鉛直荷重は、底板からコンクリート部材に均一に伝達される。
【００１２】
第三態様の鋼製部材の接合構造は、前記コンクリート部材に埋設されたアンカーボルトに前記底板が締結されている。
【００１３】
第三態様の鋼製部材の接合構造では、鋼製部材を介して底板に作用する引張力は、アンカーボルトによってコンクリート部材に伝達される。また、鋼製部材を介して底板に作用するせん断力の全部又は一部は、荷重伝達部材によってコンクリート部材に伝達される。
【００１４】
よって、アンカーボルトで全部のせん断力を伝達する場合（荷重伝達部材が設けられていない場合）と比較し、アンカーボルトの必要本数するので、施工性が向上する。
【発明の効果】
【００１５】
本発明によれば、施工性を向上しつつ、鋼製部材に作用するせん断力をコンクリート部材に伝達することができる。
【図面の簡単な説明】
【００１６】
【図１】本発明の第一実施形態に係る鋼製部材の接合構造が適用された構造物の架構を一部断面で示す正面図である。
【図２】図１の要部を一部断面で示す拡大図である。
【図３】（Ａ）〜（Ｃ）は、図１の構造物の施工工程を示す工程図である。
【図４】本発明の第二実施形態に係る鋼製部材の接合構造が適用された構造物の架構を一部断面で示す正面図である。
【図５】図２の要部を一部断面で示す拡大図である。
【図６】（Ａ）は本発明の第三実施形態に係る鋼製部材の接合構造が適用された構造物の要部の接合前の断面図であり、（Ｂ）は接合後の断面図である。
【図７】（Ａ）は本発明の第四実施形態に係る鋼製部材の接合構造が適用された構造物の要部の垂直断面図であり、（Ｂ）は水平断面図である。
【図８】本発明の他の実施形態に係る鋼製部材の接合構造が適用された構造物の要部を一部断面で示す図２に対応する拡大図である。
【発明を実施するための形態】
【００１７】
＜第一実施形態＞
本発明の第一実施形態に係る鋼製部材の接合構造が適用された構造物について、図１〜図３を用いて説明する。
【００１８】
（構造）
先ず、本発明の第一実施形態に係る鋼製部材の接合構造１００が適用された構造物１０２の要部の構造について説明する。
【００１９】
図１に示すように、構造物１０２は、接合構造１００を構成する荷重伝達部材の一例としてのシアプレート１５０と中空の鋼製部材の一例としての鋼管柱１７０と充填材Ｊとを備えている。
【００２０】
また、コンクリート部材の一例としての鉄筋コンクリート製の基礎梁１０４と鋼管柱１７０と鉄骨梁１０６とで構成された架構１０８に、逆Ｖ字状の逆Ｖ字ブレース１１０が設けられている。
【００２１】
逆Ｖ字ブレース１１０は、鉄骨梁１０６の左右方向の中央部に設けられた上側ガセットプレート１１２と、鋼管柱１７０の柱脚部１７２に設けられた下側ガセットプレート１１４と、これら上側ガセットプレート１１２及び下側ガセットプレート１１４に接合プレート１１６を介してボルト締結されたブレース材１１８と、を有している。
【００２２】
図２に示すように、鋼管柱１７０の柱脚部１７２の下端の開口部１７２Ａには、隅部に貫通孔１７４Ａが形成された平面視矩形状の底板１７４が設けられている。この底板１７４の中央部には、平面視略矩形状の挿通孔１７４Ｂが形成されている。
【００２３】
基礎梁１０４には、表面１０４Ａから突出するアンカーボルト１２０が埋設されている。このアンカーボルト１２０の下端部には、定着板１２２が設けられている。
【００２４】
そして、鋼管柱１７０の柱脚部１７２の底板１７４は、基礎梁１０４に埋設されたアンカーボルト１２０が隅部の貫通孔１７４Ａに挿通されナット１２４によって締結されている。
【００２５】
なお、本実施形態では、鋼管柱１７０の柱脚部１７２の底板１７４と基礎梁１０４の表面１０４Ａとの間に、モルタル等のレベル調整材Ｋが設けられているが、レベル調整材Ｋが設けられていなくてもよい。
【００２６】
また、基礎梁１０４には、表面１０４Ａから突出するシアプレート１５０が埋設されている。シアプレート１５０は、平面視十字とされ、板面１５０Ａにはスタッド１５２が設けられている。そして、シアプレート１５０における基礎梁１０４の表面１０４Ａから突出する突出部１５０Ｂが、底板１７４の挿通孔１７４Ｂに挿通され、鋼管柱１７０の柱脚部１７２の内部に配設されて取り囲まれると共に、柱脚部１７２にグラウトやモルタル等の充填材Ｊが充填されることで一体化されている。
【００２７】
（施工方法）
次に、構造物１０２の要部の施工方法の一例について説明する。
【００２８】
図３（Ａ）に示すように、鉄筋コンクリート製の基礎梁１０４を構築する際に、表面１０４Ａから突出すようにアンカーボルト１２０及びシアプレート１５０を埋設させる。
【００２９】
図３（Ｂ）に示すように、鋼管柱１７０の柱脚部１７２を基礎梁１０４に設置し、底板１７４をアンカーボルト１２０に締結する。なお、必要があれば、鋼管柱１７０の柱脚部１７２の底板１７４と基礎梁１０４の表面１０４Ａとの間にモルタル等のレベル調整材Ｋを設けてレベル調整を行う。
【００３０】
図３（Ｃ）に示すように、鋼管柱１７０の柱脚部１７２に充填材Ｊを充填し、鋼管柱１７０の柱脚部１７２とシアプレート１５０の突出部１５０Ｂとを一体化する。
【００３１】
（作用及び効果）
次に、本実施形態の作用及び効果について説明する。
【００３２】
鉄筋コンクリート製の基礎梁１０４に埋設されると共に基礎梁１０４の表面１０４Ａから突出するシアプレート１５０が、鋼管柱１７０の柱脚部１７２の内部に設けられて取り囲まれ、柱脚部１７２に充填された充填材Ｊで、鋼管柱１７０の柱脚部１７２と一体化されている。よって、鋼管柱１７０の柱脚部１７２に作用するせん断力が、主にシアプレート１５０によって基礎梁１０４に伝達される。
【００３３】
鋼管柱１７０の柱脚部１７２の底板１７４に作用する引張力は、主にアンカーボルト１２０によって基礎梁１０４に伝達される。
【００３４】
鋼管柱１７０に作用する鉛直荷重は、柱脚部１７２の底板１７４から基礎梁１０４に均一に伝達される。
【００３５】
また、基礎梁１０４に埋設され突出するシアプレート１５０を中空の鋼管柱１７０の柱脚部１７２の内部に配設して充填材Ｊを充填することで、鋼管柱１７０の柱脚部１７２とシアプレート１５０とが一体化されるので、施工が容易である。
【００３６】
ここで、本実施形態の鋼管柱１７０の柱脚部１７２には、下側ガセットプレート１１４及び接合プレート１１６を介してブレース材１１８が接合されている。よって、鋼管柱１７０の柱脚部１７２には、地震時等にブレース材１１８から大きなせん断力がかかる。しかし、本実施形態では、鋼管柱１７０の柱脚部１７２に作用する大きなせん断力は、シアプレート１５０によって基礎梁１０４に伝達されるので、好適である。
【００３７】
また、仮に、シアプレート１５０を設けないでアンカーボルト１２０のみが設けられている場合、地震時等にブレース材１１８から鋼管柱１７０の柱脚部１７２に伝達される大きなせん断力に対抗するには、多数のアンカーボルト１２０が必要となり、施工性が大幅に低下する。しかし、前述のように、本実施形態の鋼管柱１７０の柱脚部１７２に作用するせん断力の一部又は全部がシアプレート１５０によって基礎梁１０４に伝達されるので、アンカーボルト１２０の必要本数が減少し、施工性が向上する。
【００３８】
＜第二実施形態＞
本発明の第二実施形態に係る鋼製部材の接合構造が適用された構造物について、図４及び図５を用いて説明する。なお、第一実施形態と同一の部材には同一の符号を付し、重複する説明は省略する。
【００３９】
（構造）
先ず、本発明の第二実施形態に係る鋼製部材の接合構造２００が適用された構造物２０２の要部の構造について説明する。
【００４０】
図４に示すように、構造物２０２は、接合構造２００を構成する荷重伝達部材の一例としてのシアプレート１５０と中空の鋼製部材の一例としての固定部２７０と充填材Ｊとを備えている。
【００４１】
また、コンクリート部材の一例としての鉄筋コンクリート製の基礎梁１０４と鋼管柱１７０と鉄骨梁１０６とで構成された架構１０８に、Ｖ字状のＶ字ブレース２１０が設けられている。
【００４２】
Ｖ字ブレース２１０は、架構１０８の左右の上側の隅部に設けられた上側ガセットプレート２１２と、基礎梁１０４の左右方向の中央部に設けられた固定部２７０に接合された下側ガセットプレート２１４と、これら上側ガセットプレート２１２及び下側ガセットプレート２１４に接合プレート１１６を介してボルト締結されたブレース材１１８と、を有している。
【００４３】
鋼管柱１７０の柱脚部１７２の下端には、隅部に貫通孔１７５Ａが形成された平面視矩形状の底板１７５が設けられている。
【００４４】
基礎梁１０４には、表面１０４Ａから突出するアンカーボルト１２０が埋設されている。このアンカーボルト１２０の下端部には定着板１２２が設けられている。
【００４５】
そして、鋼管柱１７０の柱脚部１７２の底板１７５は、基礎梁１０４に埋設されたアンカーボルト１２０が隅部の貫通孔１７５Ａに挿通されナット１２４によって締結されている。
【００４６】
図５に示すように、基礎梁１０４の左右方向の中央部に設けられた固定部２７０は、下側が開口した中空の箱形状の本体部２７２を有し、この本体部２７２の開口部２７２Ａには、隅部に貫通孔２７４Ａが形成された平面視矩形状の底板２７４が設けられている。この底板２７４の中央部には、平面視略矩形状の挿通孔２７４Ｂが形成されている。
【００４７】
基礎梁１０４の左右方向中央部には、表面１０４Ａから突出するアンカーボルト１２０が埋設されている。このアンカーボルト１２０の下端部には定着板１２２が設けられている。
【００４８】
そして、固定部２７０の底板２７４は、基礎梁１０４に埋設されたアンカーボルト１２０が隅部の貫通孔２７４Ａに挿通されナット１２４によって締結されている。
【００４９】
なお、本実施形態では、固定部２７０の底板２７４と基礎梁１０４の表面１０４Ａとの間に、モルタル等のレベル調整材Ｋが設けられているが、レベル調整材Ｋが設けられていなくてもよい。
【００５０】
また、基礎梁１０４の左右方向中央部には、表面１０４Ａから突出するシアプレート１５０が埋設されている。そして、シアプレート１５０における基礎梁１０４の表面１０４Ａから突出する突出部１５０Ｂが、底板２７４の挿通孔２７４Ｂに挿通され、固定部２７０の内部に配設されて取り囲まれると共に、固定部２７０にグラウトやモルタル等の充填材Ｊが充填されることで一体化されている。
【００５１】
（施工方法）
次に、構造物２０２の要部の施工方法の一例について説明する。
【００５２】
鉄筋コンクリート製の基礎梁１０４を構築する際に、表面１０４Ａから突出すようにアンカーボルト１２０及びシアプレート１５０を埋設させる。
【００５３】
固定部２７０を基礎梁１０４に設置し、底板２７４をアンカーボルト１２０に締結する。なお、必要があれば、固定部２７０の底板２７４と基礎梁１０４の表面１０４Ａとの間にモルタル等のレベル調整材Ｋを設けてレベル調整を行う。
【００５４】
固定部２７０に充填材Ｊを充填し、固定部２７０とシアプレート１５０の突出部１５０Ｂとを一体化する。
【００５５】
（作用及び効果）
次に、本実施形態の作用及び効果について説明する。
【００５６】
鉄筋コンクリート製の基礎梁１０４に埋設されると共に基礎梁１０４の表面１０４Ａから突出するシアプレート１５０が、固定部２７０の内部に設けられて取り囲まれ、固定部２７０に充填された充填材Ｊで、固定部２７０と一体化されている。よって、固定部２７０に作用するせん断力が、主にシアプレート１５０によって基礎梁１０４に伝達される。
【００５７】
固定部２７０の底板２７４に作用する引張力は、主にアンカーボルト１２０によって基礎梁１０４に伝達される。
【００５８】
固定部２７０に作用する鉛直荷重は、底板２７４から基礎梁１０４に均一に伝達される。
【００５９】
また、基礎梁１０４に埋設され突出するシアプレート１５０を中空の固定部２７０の内部に配設して充填材Ｊを充填することで、固定部２７０とシアプレート１５０とが一体化されるので、施工が容易である。
【００６０】
ここで、第一実施形態と同様に、本実施形態の固定部２７０には、下側ガセットプレート２１４及び接合プレート１１６を介してブレース材１１８が接合されている。よって、固定部２７０には、地震時等にブレース材１１８から大きなせん断力がかかる。しかし、本実施形態では、固定部２７０に作用する大きなせん断力は、シアプレート１５０によって基礎梁１０４に伝達されるので、好適である。
【００６１】
また、第一実施形態と同様に、仮に、シアプレート１５０を設けないでアンカーボルト１２０のみが設けられている場合、地震時等にブレース材１１８から固定部２７０に伝達される大きなせん断力に対抗するには、多数のアンカーボルト１２０が必要となり、施工性が大幅に低下する。しかし、固定部２７０に作用するせん断力の一部又は全部がシアプレート１５０によって基礎梁１０４に伝達されるので、アンカーボルト１２０の必要本数し、施工性が向上する。
【００６２】
＜第三実施形態＞
本発明の第三実施形態に係る鋼製部材の接合構造が適用された構造物について、図６を用いて説明する。
【００６３】
（構造）
先ず、本発明の第三実施形態に係る鋼製部材の接合構造３００が適用された構造物３０２の要部の構造について説明する。
【００６４】
図６（Ｂ）に示すように、構造物３０２は、接合構造３００を構成する荷重伝達部材の一例としてのアンカーボルト１２０と中空の鋼製部材の一例としての鋼管柱３７０と充填材Ｊとを備えている。また、コンクリート部材の一例としての鉄筋コンクリート製の基礎部３０４に鋼管柱３７０が設けられている。
【００６５】
鋼管柱３７０の柱脚部３７２の下端の開口部３７２Ａには、平面視矩形状の底板３７４が設けられている。底板３７４の中央部には、平面視略円形状の挿通孔３７４Ａが形成されている。
【００６６】
基礎部３０４には、表面３０４Ａから突出するアンカーボルト１２０が埋設されている。このアンカーボルト１２０の下端部には定着板１２２が設けられている。
【００６７】
この基礎部３０４に埋設されたアンカーボルト１２０における表面３０４Ａから突出する突出部１２０Ｂが、底板３７４の挿通孔３７４Ａに挿通され鋼管柱３７０の柱脚部３７２の内部に配設されて取り囲まれると共に、柱脚部３７２にグラウトやモルタル等の充填材Ｊが充填されることで一体化されている。
【００６８】
なお、本実施形態では、鋼管柱３７０の底板３７４と基礎梁３０４の表面３０４Ａとの間に、モルタル等のレベル調整材Ｋが設けられているが、レベル調整材Ｋが設けられていなくてもよい。
【００６９】
（施工方法）
次に、構造物３０２の要部の施工方法の一例について説明する。
【００７０】
図６（Ａ）に示すように、鉄筋コンクリート製の基礎部３０４を構築する際に、表面３０４Ａから突出すようにアンカーボルト１２０を埋設させる。鋼管柱３７０の柱脚部３７２を基礎部３０４に設置し、底板３７４の挿通孔３７４Ａにアンカーボルト１２０を挿通する。
【００７１】
図６（Ｂ）に示すように、鋼管柱３７０の柱脚部３７２に充填材Ｊを充填し、鋼管柱３７０の柱脚部３７２とアンカーボルト１２０の突出部１２０Ｂとを一体化する。なお、必要があれば、鋼管柱３７０の底板３７４と基礎部３０４の表面３０４Ａとの間にモルタル等のレベル調整材Ｋを設けてレベル調整を行う。
【００７２】
（作用及び効果）
次に、本実施形態の作用及び効果について説明する。
【００７３】
鉄筋コンクリート製の基礎部３０４に埋設されると共に基礎部３０４の表面３０４Ａから突出するアンカーボルト１２０が、鋼管柱３７０の柱脚部３７２の内部に設けられて取り囲まれ、柱脚部３７２に充填された充填材Ｊで、柱脚部３７２と一体化されている。よって、鋼管柱３７０の柱脚部３７２に作用するせん断力が、アンカーボルト１２０によって基礎部３０４に伝達される。
【００７４】
鋼管柱３７０に作用する鉛直荷重は、底板３７４から基礎部３０４に均一に伝達される。
【００７５】
また、基礎部３０４に埋設され突出するアンカーボルト１２０を中空の鋼管柱３７０の柱脚部３７２の内部に配設して充填材Ｊを充填することで、鋼管柱３７０の柱脚部３７２とアンカーボルト１２０とが一体化されるので、施工が容易である。
【００７６】
＜第四実施形態＞
本発明の第四実施形態に係る鋼製部材の接合構造が適用された構造物について、図７を用いて説明する。
【００７７】
（構造）
先ず、本発明の第四実施形態に係る鋼製部材の接合構造４００が適用された構造物４０２の要部の構造について説明する。
【００７８】
図７（Ａ）及び図７（Ｂ）に示すように、構造物４０２は、接合構造４００を構成する荷重伝達部材の一例としてのダボ鉄筋４５０と中空の鋼製部材の一例としての固定部４７０と充填材Ｊとを備えている。また、コンクリート部材の一例としての鉄筋コンクリート製の基礎部４０４に固定部４７０が設けられている。そして、この固定部４７０に接合された接合プレート４１４に鉄骨架台４１８がボルト締結されている。
【００７９】
固定部４７０は、下側が開口した中空の箱形状の本体部４７２を有し、この本体部４７２の開口部４７２Ａには平面視矩形状の底板４７４が設けられている。この底板４７４の中央部には、平面視略円形状の挿通孔４７４Ａが形成されている。
【００８０】
基礎部４０４には、表面４０４Ａから突出するダボ鉄筋４５０が埋設されている。このダボ鉄筋４５０の上端部には円板状の定着部４５２が設けられている。
【００８１】
そして、この基礎部４０４に埋設されたダボ鉄筋４５０における表面４０４Ａから突出する突出部４５０Ｂが、底板４７４の挿通孔４７４Ａに挿通され固定部４７０の内部に配設されて取り囲まれると共に、固定部４７０にグラウトやモルタル等の充填材Ｊが充填されることで一体化されている。
【００８２】
なお、本実施形態では、固定部４７０の底板４７４と基礎部４０４の表面４０４Ａとの間に、モルタル等のレベル調整材Ｋが設けられているが、レベル調整材Ｋが設けられていなくてもよい。
【００８３】
（施工方法）
次に、構造物３０２の要部の施工方法の一例について説明する。
【００８４】
鉄筋コンクリート製の基礎部４０４を構築する際に、表面４０４Ａから突出すようにダボ鉄筋４５０を埋設させる。固定部４７０を基礎部４０４に設置し、底板４７４の挿通孔４７４Ａにダボ鉄筋４５０を挿通する。
【００８５】
固定部４７０に充填材Ｊを充填し、固定部４７０とダボ鉄筋４５０の突出部４５０Ｂとを一体化する。なお、必要があれば、固定部４７０の底板４７４と基礎部４０４の表面４０４Ａとの間にモルタル等のレベル調整材Ｋを設けてレベル調整を行う。
【００８６】
（作用及び効果）
次に、本実施形態の作用及び効果について説明する。
【００８７】
鉄筋コンクリート製の基礎部４０４に埋設されると共に基礎部４０４の表面４０４Ａから突出するダボ鉄筋４５０が、固定部４７０の内部に設けられて取り囲まれ、固定部４７０に充填された充填材Ｊで、固定部４７０と一体化されている。よって、固定部４７０に作用するせん断力が、ダボ鉄筋４５０によって基礎部４０４に伝達される。
【００８８】
また、固定部４７０に作用する鉛直荷重は、底板４７４から基礎部４０４に均一に伝達される。
【００８９】
また、基礎部４０４に埋設され突出するダボ鉄筋４５０を中空の固定部４７０の内部に配設して充填材Ｊを充填することで、固定部４７０とダボ鉄筋４５０とが一体化されるので、施工が容易である。
【００９０】
＜その他＞
尚、本発明は上記実施形態に限定されない。
【００９１】
例えば、シアプレート１５０、アンカーボルト１２０及びダボ鉄筋４５０以外の荷重伝達部材であってもよい。
【００９２】
例えば、図８に示すように、四本の主筋５５２と、これら四本の主筋５５２を取り囲む補強筋５５４と、で構成された鉄筋部材５５０であってもよい。なお、図８は第一実施形態の構造物１０２に適用した例で示したが、他の実施形態の構造物２０２、３０２、４０２にも適用することができる。
【００９３】
また、第一実施形態及び第二実施形態のシアプレート１５０は、平面視十字状とされ、板面１５０Ａにスタッド１５２が設けられた構成であったが、これに限定されない。例えば、スタッド１５２が設けられていなくてもよい。また、第三実施形態の構造物３０２及び第四実施形態の構造物４０２においてもシアプレート１５０で荷重を伝達してもよい。
【００９４】
また、第一実施形態は、逆Ｖ字ブレースであったが、これに限定されない。Ｘ字ブレースであってもよい。
【００９５】
また、充填材Ｊが充填されたことを確認する為の吹き出し口を、確認可能な場所に適宜あけてもよい。
【００９６】
また、本願が開示する技術の一態様に関し、更に以下の内容を開示する。
コンクリート部材に埋設され、前記コンクリート部材の表面から突出する荷重伝達部材と、
前記荷重伝達部材の突出部を取り囲む中空の鋼製部材と、
前記鋼製部材の中空部に充填され、前記荷重伝達部材と前記鋼製部材とを一体化する充填材と、
に加え、
前記鋼製部材には、ブレース部材の端部が接合されていてもよい。
前記鋼製部材には、鉄骨架台の端部が接合されていてもよい。
前記荷重伝達部材は、板厚方向が水平又は略水平方向に配置された板部材と、前記板部材の板面に設けられたスタッドと、で構成されていてもよい。
前記荷重伝達部材は、上方から見た平面視において、二枚の前記板部材が十字状に交差して配置されていてもよい。
前記荷重伝達部材は、下端部に定着板が設けられたアンカーボルトでああってもよい。
前記荷重伝達部材は、上端部に定着部が設けられたダボ鉄筋であってもよい。
前記荷重伝達部材は、鉛直方向に延在する複数の主筋と、これら複数の主筋を取り囲む補強筋と、で構成された鉄筋部材であってもよい。
【００９７】
更に、本発明の要旨を逸脱しない範囲において種々なる態様で実施し得ることは言うまでもない。
【符号の説明】
【００９８】
１００      鋼製部材の接合構造
１０４      基礎梁（コンクリート部材の一例）
１２０      アンカーボルト（荷重伝達部材の一例）
１５０      シアプレート（荷重伝達部材の一例）
１７０      鋼管柱（鋼製部材の一例）
１７４      底板
２００      鋼製部材の接合構造
２７０      固定部（鋼製部材の一例）
２７４      底板
３００      鋼製部材の接合構造
３０４      基礎部（コンクリート部材の一例）
３７０      鋼管柱（鋼製部材の一例）
３７４      底板
４００      鋼製部材の接合構造
４０４      基礎部（コンクリート部材の一例）
４５０      ダボ鉄筋（荷重伝達部材の一例）
４７０      固定部（鋼製部材の一例）
４７４      底板
５５０      鉄筋部材（荷重伝達部材の一例）
【図１】
0006788981.tif 000002
【図２】
0006788981.tif 000003
【図３】
0006788981.tif 000004
【図４】
0006788981.tif 000005
【図５】
0006788981.tif 000006
【図６】
0006788981.tif 000007
【図７】
0006788981.tif 000008
【図８】
0006788981.tif 000009